(57)【要約】【課題】対象雑草の茎葉のみに除草剤を塗布し、近接する有用作物への被曝を防止するとともに、作業の安全性確保と迅速化を図る除草剤の塗布装置を提供する。【解決手段】上アゴ６ａと下アゴ６ｂは、アゴ両側面に設けたアゴ支点６ｃの穴に支点ピンを通して開閉自由に設けられ、ポンプ本体８は、上アゴ６ａの中寄り両側面に設けたポンプ支点８ａ用の穴に支点ピンにて左右揺動自由に取り付けられ、プランジャ８ｂは、下アゴ６ｂの中寄り両側面に設けたプランジャ８ｂ支点の穴に支点ピンにて左右揺動自由に取り付けられ、上アゴ６ａと下アゴ６ｂのアゴ支点６ｃから遠い側の先端に、上下それぞれが向き合う面に、除草剤の塗布体５である上スポンジ５ａ及び下スポンジ５ｂと、針４が設けられ、上下アゴ６ａ、６ｂの他端のバネ掛け穴に設けられた引っ張りバネ９により上アゴ６ａと下アゴ６ｂとは常に開く方向に付勢されている構成とする。【選択図】図１
2010011810.tif 000002
【特許請求の範囲】
【請求項１】
上アゴと下アゴが支点で結合されたワニ口状の開閉自由な塗布器と、
携行可能な薬液ボトルと、
前記塗布器に前記薬液ボトルから薬液を供給するホースと、を備え、
前記上アゴと下アゴの先端には各々薬液を滞留させる塗布体が設けられており、
前記塗布器は、前記上アゴと下アゴの開閉動作に連動する往復動ポンプを備え、前記薬液ボトル内の薬液を前記ホースにて吸入し、前記上アゴと下アゴの各々の塗布体に前記薬液の供給を行い、
前記塗布体の一部には針または刃が設けられており、前記塗布体で挟み込んだ茎葉に穴を開け、または傷をつける、
ことを特徴とする除草剤の塗布装置。
【請求項２】
前記塗布器は、前記上アゴと下アゴの開閉ストロークを制御する調量金具を備える、請求項１に記載の除草剤の塗布装置。
【請求項３】
前記薬液ボトルは吸入管、吸液ホース取付け金具、空気抜きを備える、請求項１または２に記載の除草剤の塗布装置。
【請求項４】
前記吸液ホース取付け金具と前記空気抜き口には薬液流出防止弁が設けられている、請求項３に記載の除草剤の塗布装置。
【発明の詳細な説明】
【技術分野】
【０００１】
本発明は畑作地の作物や庭園の樹木などに近接する雑草に除草剤を用いて除去するための除草剤の塗布装置に関する。
【背景技術】
【０００２】
従来の雑草駆除方法としては、手で引抜いたり、鎌や刈り払い機を利用して刈り取る方法と、噴霧器を用いて除草剤を雑草の茎葉に散布する方法が一般的である。
【０００３】
特許文献１には装置に組み込まれた薬液タンクから塗布用ローラに滴下された除草剤を雑草上に直接塗布するローラ器具について記載されている。
また、特許文献２には装置に組み込まれた往復動ポンプにより除草剤を供給された２本のローラにより雑草を挟んで除草剤を直接塗布するローラ器具ついて記載されている。
【０００４】
【特許文献１】特開平１１−２２０９９４号公報
【特許文献２】特開２００７−１１７０１０号公報
【発明の開示】
【発明が解決しようとする課題】
【０００５】
しかしながら、上記従来の人力による除去方法では、時間がかかるとともに、腰をかがめての作業など作業者の肉体的負担が大きい。噴霧器を用いて除草剤を散布する方法では、除草しようとする雑草以外にその周辺、特に近接する有用作物や樹木にも除草剤がかかってしまうおそれがあり、また散布作業者も被曝するおそれがある。
【０００６】
また、これら従来の方法の問題点を解決して、選択的に雑草のみに除草剤を塗布するべく、特許文献１及び２のようにローラを用いる方法、あるいはスティック状やモップ状の塗布装置を用いる方法も試行されている。しかし、これらにも塗布量のコントロールや、有用作物への付着対策が十分になされていないという問題や、薬品によっては葉や茎の表面への塗付のみでは雑草に十分浸透しないという問題があった。
【０００７】
このように除草剤による方法では有用作物に悪影響が出ること、またその対策も確立していないことから、例えば大豆の農場においては、毎年夏の盛りに人力による雑草の駆除を行わざるをえないケースがある。この場合、雑草駆除は茎から上を切断するのみではすぐにまた生えてきてしまうため、根っこから引き抜かねばならず、大変な重労働となっている。作物も雑草も背丈が高く１ｍ以上にも達するため、暑さと疲労のため作業中に倒れてしまうと発見が困難で、重大な事態になるおそれもある。
【０００８】
本発明は上記問題点を解決して、除草剤を用いて雑草を枯死させる場合に、対象雑草の茎葉のみに除草剤を塗布し、近接する有用作物への被曝を防止するとともに、作業の安全性確保と迅速化を図る除草剤の塗布装置を提供することを課題とする。
【課題を解決するための手段】
【０００９】
上記課題を解決するために請求項１の発明は、上アゴと下アゴが支点で結合されたワニ口状の開閉自由な塗布器と、携行可能な薬液ボトルと、前記塗布器に前記薬液ボトルから薬液を供給するホースとを備え、前記上アゴと下アゴの先端には各々薬液を滞留させる塗布体が設けられており、前記塗布器は、前記上アゴと下アゴの開閉動作に連動する往復動ポンプを備え、前記薬液ボトル内の薬液を前記ホースにて吸入し、前記上アゴと下アゴの各々の塗布体に前記薬液の供給を行い、前記塗布体の一部には針または刃が設けられており、前記塗布体で挟み込んだ茎葉に穴を開け、または傷をつけることを特徴とする。これにより、雑草のみに直接薬液を塗布することができ、また、除草作業の負荷軽減が図れるとともに、作業者の安全が確保でき、さらに近隣への被害や環境汚染を防止することができる。
請求項２の発明は、さらに、前記塗布器は、前記上アゴと下アゴの開閉ストロークを制御する調量金具を備えることを特徴とする。これにより、１回のストロークによる送液量を調節することができる。
請求項３の発明は、さらに、前記薬液ボトルは吸入管、吸液ホース取付け金具、空気抜きを備えることを特徴とする。これにより、薬液ボトルの薬液残量によらず安定した薬液の供給を行うことができる。
請求項４の発明は、さらに、前記吸液ホース取付け金具と前記空気抜き口には薬液流出防止弁が設けられていることを特徴とする。これにより、吸液ホース取付金具を取り外しているときに薬液ボトルが転倒した場合、薬液ボトル内の薬液が吸液ホース内に漏れ出したり、空気抜きから外部に漏れ出すのを防止することができる。
【発明の効果】
【００１０】
以上説明したように、本発明の除草剤の塗布装置は、雑草の茎葉の一部を塗布器で挟み除草剤を塗布することにより、有用植物に除草剤を接触させることなく雑草を枯死させることができる。
また、本発明の除草剤の塗布装置により、除草作業の負荷軽減が図れるとともに、作業者の安全が確保でき、さらに近隣への被害や環境汚染を防止することができる。
【発明を実施するための最良の形態】
【００１１】
以下に、本発明の除草剤の塗布装置の実施形態について図面に基づいて説明する。
本実施形態は図４の塗布作業の説明図に示すように、塗布器１と薬液ボトル３及び吸液ホース２ａより構成される。まず、塗布器１の構成及び機能について説明する。なお、本発明の塗布装置で使用する除草剤は液状であるため、以下の説明で薬液とも記す。
【００１２】
図１は本実施形態の塗布器の概観図である。
上アゴ６ａと下アゴ６ｂは、アゴ両側面に設けたアゴ支点６ｃの穴に支点ピンを通して開閉自由に設けられている。ポンプ本体８は、上アゴ６ａの中寄り両側面に設けたポンプ支点８ａ用の穴に支点ピンにて左右揺動自由に取り付けられている。プランジャ８ｂは、下アゴ６ｂの中寄り両側面に設けたプランジャ８ｂ支点の穴に支点ピンにて左右揺動自由に取り付けられている。
【００１３】
上アゴ６ａと下アゴ６ｂのアゴ支点６ｃから遠い側の先端に、上下それぞれが向き合う面に、塗布体５である上スポンジ５ａ及び下スポンジ５ｂが設けられている。塗布体５はスポンジに限らず、不織布など薬剤を滞留することのできる柔軟な材質のものであればよい。また、上アゴ６ａと下アゴ６ｂの他端のバネ掛け穴に設けられた引っ張りバネ９により上アゴ６ａと下アゴ６ｂとは常に開く方向に付勢されている。
【００１４】
上アゴ６ａの塗布体５には、針４が設けられており、この針４により上下アゴ６ｂで挟んだ雑草の茎葉に穴をあける。この穴から薬液が雑草の内部に入り込むことで除草効果を高めることができる。上アゴ６ａの塗布体５に隣接して送液ホース２ｂを固定するホース固定金具７が設けられており、ポンプ８から送られてきた薬液は塗布体５に送り込まれる。針４の替わりに刃物を設け、雑草の茎葉を挟んだときにキズをつけるようにしてもよい。
【００１５】
調量金具１０は中空円柱の外ネジ金具１０ａと内ネジ金具１０ｂで構成され、互いにネジ込むことにより全長が変化する構造である。上アゴ６ａと下アゴ６ｂに架設された引っ張りバネ９を中空に入れ、外ネジ金具１０ａの一端が上アゴ６ａに接し、内ネジ金具１０ｂの他端が下アゴ６ｂに接する。ネジの締め込みにより、上アゴ６ａと下アゴ６ｂの開閉ストロークを変化させて、プランジャポンプのプランジャストロークを制御することで任意の送液量に調整する。
【００１６】
次に、図２でポンプ８の構成及び機能について説明する。
ポンプ支点８ａ、シリンダ８ｄ、プランジャ８ｂ、プランジャ支点８ｃが一直線上に設けられている。プランジャパッキン８ｊはグランド８ｉによりポンプ本体８に装着されている。
【００１７】
シリンダ８ｄの左右の一端には吸液室が設けられており、吸液弁８ｅと吸液バネ８ｇが配設され、吸液ホース２ａが接続されており、吸液ホース２ａの他端は薬液ボトル３に接続されている。シリンダ８ｄの左右の他端には送液室が設けられており、送液弁８ｆと送液バネ８ｈが配設され、送液ホース２ｂが接続されており、送液ホース２ｂの他端は上アゴ６ａの上スポンジ５ａに接する位置にホース固定金具７により固定されている。
【００１８】
上アゴ６ａと下アゴ６ｂを手で握って閉じ、上スポンジ５ａと下スポンジ５ｂとを接触させることにより、ポンプ支点８ａとプランジャ支点８ｃが近接し、シリンダ８ｄ内の薬液がプランジャ８ｂにより押し出され、送液弁８ｆを押し開けて送液ホース２ｂ側に送液される。握りを緩めると、伸ばされたバネ９の復元力により、上アゴ６ａと下アゴ６ｂは開いてもとの開度に戻り、ポンプ支点８ａとプランジャ支点８ｃが離隔し、吸液ホース２ａ側の薬液がプランジャ８ｂにより吸い込まれ、吸液弁８ｅを押し開けてシリンダ８ｄ内に吸液される。
【００１９】
ポンプ支点８ａは上アゴ６ａのポンプ支点８ａ用の穴にピンで左右揺動自由に取り付けられている。プランジャ支点８ｃは下アゴ６ｂのプランジャ支点８ｃ用の穴にピンで左右揺動自由に取り付けられている。上述のように、上アゴ６ａと下アゴ６ｂの作動距離の変化させることで、プランジャストロークを変化させ、送液量を調整する。
【００２０】
次に、図３で薬液ボトル３の構成及び機能について説明する。
薬液ボトル３は薬液の原液または希釈された薬液が携行可能な大きさであって、上部にネジが設けられている。このネジにキャップ３ｍが嵌合し、パッキン３ｎにより液モレを防止している。
【００２１】
キャップ３ｍの平面部には吸液金具３ｌを取り付ける穴が設けられている。吸液金具３ｌの下部には、ナット３ｐでキャップ３ｍを挟み込むことにより吸液金具３ｌをキャップ３ｍに固定するネジが設けられている。
【００２２】
吸液金具３ｌの中央部には空気穴３ｋが設けられており、薬液ボトル３内の薬液が減少するにつれ空気を供給し、ボトル内の圧力を大気圧に保つ。吸液金具３ｌの上部には、液漏れ防止金具２ｊを止めるネジが設けられている。
【００２３】
吸液金具３ｌの中心部を通って下部方向には吸液菅３ｃが設けられている。吸液菅３ｃは、薬液ボトル３にキャップ３ｍを締めこんだときにボトルの底から薬液が吸入可能な長さに調節されており、薬液残量が少なくなった場合でも空気混入を抑え、ポンプ送液量を一定に保つ。
【００２４】
空気穴用弁３ｑは、ゴムなどの柔軟な素材で構成されており、内径を吸液菅３ｃ外径よりやや小さくし、挿入した場合に抜け落ちないよう密着する径となっている。
空気穴用弁３ｑ吸液金具３ｌの下端面に密着させて取り付けられ、ボトルが転倒した場合に薬液が空気穴３ｋからこぼれないようにする。
【００２５】
また、空気穴用弁３ｑはポンプ８が作動し、吸液されてボトル内が負圧になった時には弾力により内径側が下側に反り、吸液管３ｃの外壁との間に隙間を生じさせ、空気穴３ｋからボトル内に空気が送り込まれる。
【００２６】
液モレ防止金具３ｊは、吸液金具３ｌ上部に取り付けられており、その内壁には弁座３ｇが設けられている。液モレ防止金具３ｊの上部外周には吸液ホース取付け金具３ｅがネジにより取り付けられている。液モレ防止金具３ｊの内部にはバネ３ｉがセットされており、バネ３ｉの下端は吸液金具３ｌの上端面に接し、バネ３ｉの上端はボール３ｈに接している。ポンプ８不使用時は吸液ホース取付け金具３ｅが取り外された状態となるが、その際はバネ３ｉによりボール３ｈが弁座３ｇに押し付けられ、薬液ボトル３が転倒しても薬液がこぼれないように密封される。
【００２７】
吸液ホース取付け金具３ｅは、ホース芯３ｄ、袋ナット３ｖ、押し棒３ｆで構成されている。ホース芯３ｄの上端には、他端がポンプ本体８の吸液側に接続された吸液ホース２ａが挿入されている。ホース芯３ｄの下端には押し棒３ｆが設けられており、ポンプ８使用時は吸液ホース取付け金具３ｅを液モレ防止金具３ｊにねじ込むことにより、押し棒３ｆの先端がボール３ｈを押し、ボール３ｈと弁座３ｇの間に隙間をつけて吸液ホース２ａと薬液ボトル３とを連通させ、ポンプ８により薬液の吸入、塗布が可能な状態となる。なお、この使用状態で薬液ボトル３が転倒した場合でも、プランジャ８ｂを駆動させない限り吸液弁８ｅ及び送液弁８ｆが閉じているため薬液がこぼれることはない。
【００２８】
薬液ボトル３の携行用のザック３ｔには、肩から吊り下げたりするための吊り金具３ｒと、腰に止めるためのバンド通し３ｓが設けられている。
【００２９】
図４で塗布作業の手順を説明する。
作業者は薬液ボトル３の吊り下げバンド３ｕを肩に掛け、塗布器１の上アゴ６ａを親指で、下アゴ６ｂを４指で支え持つ。塗布しようとする雑草の葉または茎を上アゴ６ａと下アゴ６ｂで挟み込むと、同時にポンプ８が作動して上アゴ６ａに設けた上スポンジ５ａに薬液が供給される。
【００３０】
挟み込まれた葉は上アゴ６ａに設けた針４により一部を傷つけられ、穴が開くと同時に、塗布体５の薬液が葉に付着する。塗布された除草剤はその成分である界面活性剤の働きにより、葉の内部に浸透し、雑草体内へ移行し、茎を通って根部へ到達し、雑草を枯死させるが、雑草の一部を傷つけることにより、体内へ有効成分を素早く効率よく吸収させ殺草力を最大化させる。
【００３１】
図５で塗布作用をさらに詳しく説明する。
上アゴ６ａと下アゴ６ｂを手で握りこむことによりポンプが作動し、薬液が上アゴ６ａの上スポンジ５ａに供給されるが、供給量は雑草の種類や草丈、あるいは薬剤の希釈度により調整する必要がある。本実施形態の塗布器１では、上アゴ６ａと下アゴ６ｂの開く距離によりポンププランジャ８ｂのストロークを変化させて供給量を調整する。すなわち、上アゴ６ａと下アゴ６ｂの開く距離Ｈをアゴ支点６ｃと反対側の調量金具１０の長さＬにより調整する。Ｌを短く設定するほどＨは大きくなり、ポンププランジャ８ｂのストロークが大きくなるため、ストローク１回当たりの送液量が増大する。
【００３２】
調量金具１０の内側には上アゴ６ａと下アゴ６ｂに支点を持つ引っ張りバネ９が設けられており、上アゴ６ａの後端部と下アゴ６ｂの後端部の距離は、常に調量金具１０の長さＬに保たれている。調量金具１０の長さＬは、外ネジ金具１０ａと内ネジ金具１０ｂを回転させることにより調整される。
【００３３】
上アゴ６ａと下アゴ６ｂで雑草の葉を挟み込むと、上アゴ６ａに設けた針４により葉の一部に穴が開く。上アゴ６ａの上スポンジ５ａに供給された薬液は葉の表面に付着するとともに葉の傷口にも付着し、さらに破れた葉の穴より下アゴ６ｂの下スポンジ５ｂに達し、葉の裏面に付着する。
【００３４】
以上説明した本発明の除草剤の塗布装置には、グリホサート、グルホシネート、ビアラホス、パラコート等及びそれらを含む除草剤に代表される非選択性（全ての雑草を枯らす）の茎葉処理型除草剤が好適に用いられる。
【００３５】
また、本発明の除草剤の塗布装置は、有用植物と雑草が近接混在している場合でも、雑草の大小に関わらず茎葉の一部を塗布器で挟み除草剤を塗布することにより、有用植物に除草剤を接触させることなく雑草を枯死させることができる。
さらに、本発明の除草剤の塗布装置により、除草作業時間の短縮、労力の軽減が図れるとともに、薬剤を霧化散布しないためにドリフトによる被曝を防止して作業者の安全が確保でき、さらに近隣への被害や環境汚染を防止することができる。
【図面の簡単な説明】
【００３６】
【図１】本発明の塗布装置の一実施形態を示す塗布器の概観図である。
【図２】本実施形態のプランジャポンプを示す断面図である。
【図３】本実施形態の薬液ボトルを示す断面図である。
【図４】本実施形態の塗布装置を使用した塗布作業の説明図である。
【図５】本実施形態の塗布器による塗布操作の説明図である。
【符号の説明】
【００３７】
１    塗布器
２ａ    吸液ホース
２ｂ    送液ホース
３    薬液ボトル
３ｃ    吸液管
３ｄ    ホース芯
３ｅ    吸液ホース取付け金具
３ｆ    押し棒
３ｇ    弁座
３ｈ    ボール
３ｉ    バネ
３ｊ    液モレ防止金具
３ｋ    空気穴
３ｌ    吸液金具
３ｍ    キャップ
３ｎ    パッキン
３ｐ    ナット
３ｑ    空気穴用弁
３ｒ    吊り金具
３ｓ    バンド通し
３ｔ    ザック
３ｕ    バンド
３ｖ    袋ナット
４    針
５    塗布体
５ａ    上スポンジ
５ｂ    下スポンジ
６ａ    上アゴ
６ｂ    下アゴ
６ｃ    アゴ支点
７    ホース固定金具
８    ポンプ本体
８ａ    ポンプ支点
８ｂ    プランジャ
８ｃ    プランジャ支点
８ｄ    シリンダ
８ｅ    吸液弁
８ｆ    送液弁
８ｇ    吸液バネ
８ｈ    送液バネ
８ｉ    グランド
８ｊ    プランジャパッキン
９    バネ
１０    調量金具
１０ａ    外ネジ金具
１０ｂ    内ネジ金具
【図１】
2010011810.tif 000003
【図２】
2010011810.tif 000004
【図３】
2010011810.tif 000005
【図４】
2010011810.tif 000006
【図５】
2010011810.tif 000007